(57)【要約】【課題】エプロンをエプロン用の収容袋に入れて持ち運ぶと、使用前のエプロンは清潔に保たれ、使用した時にエプロンが汚れても持ち帰りの際に他の物品を汚すことがない。しかし、エプロンを使用する際に、収容袋をしまっておくと、エプロンの使用後に収容袋をしまった場所から取り出す必要があった。また、場合によっては収容袋を紛失してしまうことがあった。【解決手段】前面布と背面布からなるエプロン本体２と、収容袋３，６と、を有し、収容袋３は一端に開口部３２を有し、エプロン本体２における背面布２２に収容袋３を取り付けてなるエプロン１とすることによって、収容が簡単で収容袋３が汚れにくいエプロン１を提供する。【選択図】  図１
2018178286.tif 000002
【特許請求の範囲】
【請求項１】
前面布と背面布からなるエプロン本体と、
収容袋と、を有し、
前記収容袋は一端に開口部を有し、
前記エプロン本体における前記背面布に前記収容袋を取り付けてなる
エプロン。
【請求項２】
前記収容袋が、前記背面布の上部に取り付けられている
請求項１のエプロン。
【請求項３】
前記収容袋は、前記開口部が前記背面布に取り付けられている
請求項１または２のエプロン。
【請求項４】
前記収容袋は、前記開口部以外は前記背面布または前記前面布に取り付けられていない
請求項３のエプロン。
【請求項５】
前記収容袋が、前記前面布と前記背面布の間に設けられた状態で、前記開口部の前面布側が前記背面布に取り付けられている
請求項３または４のエプロン。
【請求項６】
前記収容袋が、前記前面布と前記背面布の間に設けられた状態で、前記開口部の背面布側が前記背面布に取り付けられている
請求項３または４のエプロン。
【請求項７】
前記収容袋の外面に図柄が描かれている
請求項１乃至６のいずれかのエプロン。
【請求項８】
前記開口部には、前記エプロン本体を前記収容袋の内部に収容した状態で、前記エプロン本体が外部に出ないように、前記開口部を止める係止部材が設けられている
請求項１乃至７のいずれかのエプロン。
【発明の詳細な説明】
【技術分野】
【０００１】
本発明は、調理時等に着用するエプロンに関するものである。
【背景技術】
【０００２】
従来、エプロンは家庭内で用いられることが多く、そのまま折りたたんで収容することが多かった。特許文献１は、従来におけるエプロンの一例である。しかしながら、近年では料理教室が流行しており教室までエプロンを持ち運んで使用する。児童や学生が学校で調理実習を行う場合にもエプロンを使用する。料理教室や学校での調理実習を行う場合、エプロンはカバンなどに入れて持ち運ぶことになるため、エプロン用の袋を用いることが好ましい。
【先行技術文献】
【特許文献】
【０００３】
【特許文献１】特開平８−１２０５０９号公報
【発明の概要】
【発明が解決しようとする課題】
【０００４】
エプロンをエプロン用の収容袋に入れて持ち運ぶと、使用前のエプロンは清潔に保たれる。食材を扱う際に使用するエプロンが清潔であることは、食中毒等を防ぐためにも重要である。また、使用した後はエプロンが食材などにより汚れてしまっていることが考えられる。エプロンの汚れは、粉、液体、油、食材のかす、粘性のある食品等さまざまであり、そのままではエプロン表面から剥がれたり、接触によって周りに付着する可能性が高い。このような場合でもエプロンを収容袋に入れておけば、持ち帰りの際に他の物品を汚すことがない。以上のように、エプロンを持ち運ぶ際にエプロン用の収容袋は有用であるが、エプロンを使用する際に、収容袋をいずれかの場所にしまっておくと、エプロンの使用後に収容袋をしまった場所から取り出す必要があった。また、場合によっては収容袋を紛失してしまうことがあった。さらに、収容袋へエプロンを収容した際、たたみ方によってエプロンの汚れが収容袋に染み出したり、収容袋の隙間から漏れ出したりするおそれがあった。
【課題を解決するための手段】
【０００５】
本発明は、上述した課題を解決するためのものであり、以下の構成を有する。
【０００６】
（１）本発明は、前面布と背面布からなるエプロン本体と、収容袋と、を有し、前記収容袋は一端に開口部を有し、前記エプロン本体における前記背面布に前記収容袋を取り付けてなるエプロンである。
【０００７】
本発明によれば、収容袋がエプロン本体に取り付けられているので、料理教室などが終了して帰る際などエプロン本体を収容するときに収容袋を探す必要がない。さらに、収容袋はカバン等に入れて持ち運ばれることが想定されるが、調理の際に収容袋が汚れるとカバンの中や、カバンの中に入れた他の物品も汚れてしまう。しかし、本発明の収容袋は、エプロン本体と一体でありながら、調理時に汚れがつきにくい背面布に取り付けられていることから、収容袋は汚れにくく、カバン等が汚れにくい。また、収容袋がエプロン本体の背面布に取り付けてあるため、調理の際に邪魔にならない。さらに、収容袋とエプロン本体が一体となっているため、調理の最中や、エプロンの洗濯時などに収容袋を紛失する心配がない。
【０００８】
（２）本発明は、前記収容袋が、前記背面布の上部に取り付けられている（１）のエプロンである。
【０００９】
本発明によれば、収容袋がエプロン使用時に最も汚れがつきにくい背面布の上部に取り付けられているので、収容袋がさらに汚れにくい。また、収容袋が取り付けられている背面布の上部は、前面布に覆われていないため、エプロンを折りたたんで収容するときに収容袋のある位置を確認しやすい。
【００１０】
（３）本発明は、前記収容袋は、前記開口部が前記背面布に取り付けられている（１）または（２）のエプロンである。
【００１１】
本発明によれば、エプロン本体を収容袋の中に開口部から入れることができる。そして汚れにくい背面布の内側に汚れやすい前面布をくるむように折りたたんで、エプロン本体を収容袋の中に収容することが容易である。
【００１２】
（４）本発明は、前記収容袋が、前記開口部以外は前記背面布または前記前面布に取り付けられていない（３）のエプロンである。
【００１３】
本発明によれば、開口部に取り付けられた部分以外のエプロン本体が収容袋の内部に収容されるため、エプロン本体に付着した汚れを全て収容袋の内部に収容することができる。また、汚れやすいエプロンは頻繁に洗濯されることが考えられる。洗濯の後、エプロンを干す際には、収容袋を取り付け部分で折り返すことで収容袋とエプロン本体との生地の重なりを避けることができ、素早く乾燥させることができる。
【００１４】
（５）本発明は、前記収容袋が、前記前面布と前記背面布の間に設けられた状態で、前記開口部の前面布側が前記背面布に取り付けられている（３）または（４）のエプロンである。
【００１５】
本発明によれば、収容袋が、前面布と背面布の間に設けられた着用時の状態において、開口部が収容袋と背面布の間に隠れるため、いたずらにより収容袋の開口部から物を入れられることがない。
【００１６】
（６）本発明は、前記収容袋が、前記前面布と前記背面布の間に設けられた状態で、前記開口部の背面布側が前記背面布に取り付けられている（３）または（４）のエプロンである。
【００１７】
本発明によれば、収容袋を持ち上げた状態で、折りたたんだエプロン本体を背面布側から収容袋に収納することができる。
【００１８】
（７）本発明は、前記収容袋の外面に図柄が描かれている（１）乃至（６）のいずれかのエプロンである。
【００１９】
本発明によれば、汚れたエプロン本体を収容袋の内部に収容しても、キャラクターなどの図柄が汚れない。また、図柄により収容袋の位置が一目でわかり、手際よく折りたたんで収納することができる。
【００２０】
（８）本発明は、前記開口部には、前記エプロン本体を前記収容袋の内部に収容した状態で、前記エプロン本体が外部に出ないように、前記開口部を止める係止部材が設けられている（１）乃至（７）のいずれかのエプロンである。
【００２１】
本発明によれば、エプロン本体を収容袋に収納した際に、エプロン本体が意図に反して外部に出て周囲の物品を汚す虞がない。
【発明の効果】
【００２２】
本発明によって、調理等のためのエプロンを持ち運ぶ際の収容袋を、紛失せずに使用することができ、また、エプロン本体を収容袋に容易に収容することができる。
【図面の簡単な説明】
【００２３】
【図１】実施例１に係る着用する際のエプロンを示す図。
【図２】実施例１に係る収容袋を上部に持ち上げた状態のエプロンを示す図。
【図３】実施例１に係るエプロン本体を収容袋に収容する際の折り畳み（前半）を示す図。
【図４】実施例１に係るエプロン本体を収容袋に収容する際の折り畳み（後半）を示す図。
【図５】実施例１に係るエプロンを収容した状態の収容袋を示す図。
【図６】実施例２に係る着用する際のエプロンを示す図
【図７】実施例２に係る収容袋を上部に持ち上げた状態のエプロンの背面を示す図。
【発明を実施するための形態】
【実施例１】
【００２４】
図１は、着用する際のエプロンを示す。図１（ａ）は前面、図１（ｂ）は後面からエプロンを見た図である。１はエプロン、２はエプロン本体、２１は前面布、２２は背面布、２３は前襟部、２４は奥襟部、２５は袖部、２６は裾部、２７はボタン、２８は肩部、２９はポケット、３は収容袋、３１は収容袋３の外面に描かれた図柄である。
【００２５】
エプロン１は、エプロン本体２と、エプロン本体２に取り付けられた収容袋３により構成され、エプロン本体２は、着用した際に着用者の胸側に配置される前面布２１と、背側に配置される背面布２２から構成されている。背面布２２にはボタン２７が３つ取り付けられ、前面布２１にはボタン孔（図示せず）が３つ設けられている。前面布２１の端部と背面布２２の端部はボタン２７とボタン孔により３箇所で止められている。図１（ａ）では、向かって右側の部分にボタン孔を通したボタン２７が表示されている。また、前面布２１と背面布２２は、図１（ａ）において向かって左側と、上部における２箇所の肩部２８で接続されている。エプロン本体２の上部には、着用する際に着用者が頭を通す襟部を構成する前襟部２３と奥襟部２４が２箇所の肩部２８の間に設けられている。
【００２６】
収容袋３は背面布２２における奥襟部２４に縫い付けられている。ここで言う奥襟部２４は、奥襟の上端部だけでなくその近傍も含む部分である。着用する状態では、図１（ａ）に示すように、収容袋３の下部は部分的に前襟部に隠れている。収容袋３の前面に描かれた図柄３１は、一部または全部が前面布２１に隠れずに見える状態となっている。収容袋３は、前面布２１と背面布２２の間に設けられた状態で、開口部３２の前面布２１側が背面布２２に取り付けられている。エプロン１の着用者は、エプロン本体２のボタン２７を外して腕を袖部２５に通し、頭を前襟部２３と奥襟部２４の間を通してからボタン２７をはめてエプロン１を着用する。また、ボタン２７を外さずに裾部２６から頭と腕を入れて着用してもよい。
【００２７】
上記のように、着用の際に収容袋３は背面布２２の前面側に位置するため、エプロン１の着用時には視認できない状態となる。したがって、エプロン１の使用時に、収納するための収容袋３が他者の目につかず、通常のエプロンと同様に使用することができる。また、エプロン１を調理実習などで学童が使用する場合には、収容袋３の中に物を入れるなどのいたずらをされることが防止される。
【００２８】
図２は、収容袋を上部に持ち上げた状態のエプロンを示す。３２は収容袋の開口部である。収容袋３は一端が開口して開口部３２となっている。そして収容袋が上部に持ち上げられたときに開口部３２が奥襟部２４の近傍に露出するように、収容袋３がエプロン本体２の奥襟部２４に縫い付けられている。したがって、図１の着用する状態では開口部３２は露出しておらず、図２のように収容袋３を持ち上げた状態で開口部３２が現れる。なお、エプロンを洗濯した後に干す際、図２のように収容袋を持ち上げることでエプロン本体と収容袋の重なりを避けることができ、乾きが早くなる。
【００２９】
図３は、エプロン本体を収容袋に収容する際の折り畳み（前半）を示す。図２のように、収容袋３を上部に持ち上げた状態で、図３（ａ）に矢印で示すように、エプロン本体２の一方の側部を折りたたむ。さらに図３（ｂ）に矢印で示すように、他方の側部も折りたたむ。以上のように折りたたむことにより、エプロン本体２の幅が開口部３２の幅とほぼ等しくなる。実施例１のエプロンにおいては、エプロン本体の最大の横幅が、収容袋の横幅の３倍を超えないようになっている。このため、図３（ａ）のように折ったときに他方の折り目にエプロン本体の側部がかからず、余計な折り目がつかない。また、図３（ｂ）のように折ったとき、折り返した側のエプロンの側部が、先に折り返しておいたエプロン本体の折り返し部分よりはみ出すことがなく、収容袋に入れる際に、はみ出し部分をさらに折る手間を省くことができる。
【００３０】
また、図３（ｂ）の状態では、最も汚れている可能性が高い前面布２１が内側、そして、汚れる可能性の比較的少ない背面布２２が外側に来ることになり、折りたたみの最中に手や周囲に汚れを付着させることを避けられる。
【００３１】
実施例１のエプロンでは、縦の折り線がエプロンのポケット２９の上を通るようになっている。調理器具や食材をポケット２９に入れたまま忘れてしまっていた際などには、折りたたみ時にポケット２９のふくらみを確認することができ、確認することで意図しない調理器具や食材の持ち帰りを防ぐことができる。
【００３２】
図４は、エプロン本体を収容袋に収容する際の折り畳み（後半）を示す。図４（ｃ）の３３は係止具であり、係止部材を構成する。図４（ａ）で矢印に示すように、開口部３２から離れた場所からエプロン本体２を開口部３２側に折りたたむ。さらに、図４（ｂ）で矢印に示すように、さらに折りたたんでエプロン本体２の大きさが収容袋３の大きさとほぼ同じになるようにする。そして、折りたたまれたエプロン本体２を開口部３２から収容袋３の中に挿入する。そして、係止具３３により開口部３２を閉じる。これにより、エプロン本体２を収容袋３の内部に収容した状態で、エプロン本体２が外部に出ない。
【００３３】
図４にある折りたたみの際は、汚れている可能性の比較的少ない背面布２２のみに触れて折りたためばよく、このとき手や周囲に汚れを付着させることを避けられる。図４（ｂ）の状態になると、最も汚れている可能性が高い前面布２１が背面布２２に完全に覆われた形になり、汚れを閉じ込めることができる。
【００３４】
図５は、エプロン１を収容した状態の収容袋を示す。図４（ｃ）を、上下を反転することにより裏返したものである。
【００３５】
この実施形態によるエプロン１では、収容袋３にエプロン本体２が収容された状態において、最も汚れる可能性が高い前面布２１が背面布２２に覆われた形になる。また、前面布２１の前側が内側になる。そのため、エプロン本体２に付着した汚れが収容袋３まで染みだしにくく、図柄３１が汚れてしまう可能性が低い。
【００３６】
エプロン本体２のたたみ方は上記のものに限らず、他のたたみ方でも良い。例えば、図４のように横方向にたたんでから図３のように縦方向にたたみ、最後に収容袋３の中に入れてもよい。また、前後を逆にして、背面布を谷折りにし前面布で包み込むように折りたたんでもよい。この場合は、背面布に付着した汚れの閉じ込めに有効である。いずれにせよ、使用者はその場の判断でたたみ方を選択することができる。
【実施例２】
【００３７】
図６は、実施例２に係る着用する際のエプロンを示す。５はエプロン、６は収容袋、６１は収容袋６の前面に描かれた図柄、６２は開口部である。エプロン本体２等は実施例１と同様である。実施例２では実施例１と異なり、着用する状態で開口部６２が奥襟部２４の近傍に露出するように収容袋６がエプロン本体２の背面布２２に縫い付けられている。すなわち、収容袋６が、前面布２１と背面布２２の間に設けられた状態で、開口部６２の背面布２２側が背面布２２に取り付けられている
【００３８】
図７は、実施例２に係る収容袋を上方に持ち上げた状態のエプロンの背面を示す。収容袋６を上方に持ち上げた状態では、開口部６２はエプロンの背面側に露出する。そして、図７の矢印のように折りたたむことにより、エプロン本体２を小さい状態にして、開口部６２から収容袋６の中に入れて収容する。調理の際、場合によっては、背中側に、より汚れが付着していることも考えられるので、その際にはこのたたみ方の方が汚れを閉じ込めることができる。
【００３９】
実施例２のエプロンでは、縦の折り線がエプロンのポケット２９の上を通るようになっている。調理器具や食材をポケット２９に入れたまま忘れてしまっていた際などには、折りたたみ時にポケット２９のふくらみを確認することができ、確認することで意図しない調理器具や食材の持ち帰りを防ぐことができる。
【００４０】
エプロン本体２のたたみ方は上記のものに限らず、他のたたみ方でも良い。例えば、横方向にたたんでから縦方向にたたみ、最後に収容袋６の中に入れてもよい。また、実施例１のように、図３、図４（ａ）、図４（ｂ）の手順、すなわち前面布を谷折りにし背面布で包み込むように折りたたみ、最後に裏返してから開口部にエプロン本体を入れることで収容袋に収容することもできる。この場合は、エプロン前面に付着した汚れの閉じ込めに有効である。いずれにせよ、使用者はその場の判断でたたみ方を選択することができる。
【００４１】
実施例１、実施例２に示された収容袋３，６の背面布２２への縫い付けは他の取り付け方でもよく、ボタンとボタン孔、ファスナーなどの取り外し可能な取り付け方であってもよい。取り外し可能とすることにより、汚れやすいエプロン本体２だけを洗濯することができる。取り外し可能とすることによって、収容袋３，６に描かれたキャラクター等の図柄３１，６１は頻繁に洗濯されることがなく、図柄３１，６１が傷みにくい。
【００４２】
また、エプロン本体２の表面には、エプロン本体２を折りたたむ際の目印となる線がデザインされていてもよい。線があることにより、折りたたみ位置が斜めになったり、ずれたりすることを避けることができ、折りたたみと収容袋３，６への収納が容易になる。線により、折り紙の折り図のように折りたたむことができるので、衣服の折りたたみに慣れていない児童や学生等であっても容易に折りたたむことができる。
【００４３】
さらに、収容袋３，６が、開口部３２，６２以外の部分で背面布２２に面ファスナーなどにより仮係止されるようにしてもよい。エプロンを着用する際、使用者はエプロン本体２の襟部分に下から首を通すことになる。しかしその際、エプロンの背面布２２に接続された収容袋３，６に使用者の頭部が接触することで、収容袋３，６を図２の状態のように跳ね上げたり、また、ずらしたりしてしまう可能性がある。これに対し、収容袋３，６の開口部３２，６２以外の部分で背面布２２との仮係止がなされることで、この跳ね上げ等を防ぐことができる。エプロン本体２の収容の際には、この仮係止を外して図２の状態にした上で、エプロン本体２を折りたたんで収容する。
【００４４】
また、収容袋３，６は、開口部３２，６２の近傍での取付けに加えて、開口部３２，６２の近傍以外で背面布２２に取り付けられていてもよい。その場合には収容状態でエプロン本体２の一部が収容袋３，６の外部に出た状態となる。
【００４５】
また、収容袋３，６を裏返してエプロン本体２を収納するようにしてもよい。実施例１、実施例２の場合、図４（ｂ）の状態までエプロン本体２を折りたたんだ後、エプロン本体を収容袋３，６の開口部３２，６２のない方の面に重ねるように折り、そののち収容袋３，６を裏返すと同時にエプロン本体２を収容する。そのようにして、エプロン本体２をはみ出させることなく収容袋３，６に収容することができる。また前述のように、収容袋３，６が、開口部３２，６２の近傍での取付けに加えて、開口部３２，６２の近傍以外で背面布２２に取り付けられていている場合も、収容袋３，６の裏返しにより、エプロン本体２を収容袋３，６にはみ出させることなく収容できる。また、裏返した状態の収容袋３，６の表面に図柄があってもよい。
【００４６】
図柄は収容袋３，６の表と裏両面にあってもよい。このとき、表と裏の図柄を変えることで、どちらの側に開口部があるか、認識しやすくできる。側部の折り返しは左右それぞれ二回以上あってもよい。これにより、エプロン本体２の横幅に対して収容袋３，６の横幅が小さくても収容することができ、収容袋３，６を小型化することができる。また逆に、大きなサイズのエプロン本体２を、同サイズの収容袋３，６に収容することができる。エプロン本体２に長さのある袖等がついていてもよい。その場合、袖部分を含めて折りたたむことで、エプロン本体２を収容袋３，６に収容する。
【符号の説明】
【００４７】
１  エプロン
２  エプロン本体
２１  前面布
２２  背面布
２３  前襟部
２４  奥襟部
２５  袖部
２６  裾部
２７  ボタン
２８  肩部
２９  ポケット
３  収容袋
３１  図柄
３２  開口部
３３  係止具
５  エプロン
６  収容袋
６１  図柄
６２  開口部
【図１】
2018178286.tif 000003
【図２】
2018178286.tif 000004
【図３】
2018178286.tif 000005
【図４】
2018178286.tif 000006
【図５】
2018178286.tif 000007
【図６】
2018178286.tif 000008
【図７】
2018178286.tif 000009